(57)【要約】【課題】係止爪が脱抜する方向へ撓むのを規制することにより、透光性部材が外れてしまうのを防ぐとともに、脱抜方向と直交する方向へ係止爪が移動するのを規制して、係止爪のガタ付きを抑制する。【解決手段】装飾用のレンズ２２が外装に取り付けられる遊技機であって、レンズ２２又はレンズ２２が取り付けられるレンズベース２３の一方が、弾性変形可能な鉤状の係止爪２２１を有し、他方が、係止爪２２１が係止する被係止部２３５を有し、被係止部２３５に係止した状態の係止爪２２１に嵌合して係止爪２２１の変位を阻止する変位阻止部材２４ａを備え、この変位阻止部材２４ａのうち係止爪２２１に嵌合する部分である係止爪嵌合部２４１が、被係止部２３５から脱抜する方向へ係止爪２２１が撓むのを規制する係止爪押圧面２４１ａと、脱抜する方向に対して直交する方向へ係止爪２２１が移動するのを規制する係止爪係合面２４１ｂと、を備える構成としてある。【選択図】図７
2014200385.tif 000002
【特許請求の範囲】
【請求項１】
装飾用の透光性部材が外装に取り付けられる遊技機であって、
前記透光性部材又は前記透光性部材が取り付けられる被取付部材の一方が、弾性変形可能な鉤状の爪部を有し、他方が、当該爪部が係止する被係止部を有し、
前記被係止部に係止した状態の前記爪部に嵌合して当該爪部の変位を阻止する変位阻止部材を備え、
この変位阻止部材のうち前記爪部に嵌合する部分である爪部嵌合部が、
前記被係止部から脱抜する方向へ前記爪部が撓むのを規制する撓み規制部と、
当該脱抜する方向に対して直交する方向へ前記爪部が移動するのを規制する移動規制部と、を備えた
ことを特徴とする遊技機。
【請求項２】
前記被取付部材が、前記変位阻止部材の取り付け位置に、前記変位阻止部材を位置決めする位置決め部を備え、
この位置決め部に応じて前記変位阻止部材が取り付けられることで、前記被係止部に係止した状態の前記爪部と嵌合する位置に前記爪部嵌合部を位置決めする
ことを特徴とする請求項１記載の遊技機。
【請求項３】
前記変位阻止部材は、
所定の締結部材を用いて前記取り付け位置に固定される被締結部と、
前記位置決め部と嵌合する位置決め部嵌合溝と、を備え、
当該位置決め部嵌合溝は、前記位置決め部に嵌合することで、前記締結部材を用いて前記取り付け位置に固定された当該変位阻止部材が前記被締結部を中心として周方向に移動するのを規制する
ことを特徴とする請求項２記載の遊技機。
【請求項４】
前記被取付部材において、前記変位阻止部材を取り付け可能な位置が複数個所あり、
前記被取付部材における前記複数の取付位置ごとに、周囲の形状が異なっており、
前記変位阻止部材が、前記爪部嵌合部を複数備え、
前記取付位置ごとに、異なる前記爪部嵌合部を前記爪部に対して嵌合する
ことを特徴とする請求項１〜３のいずれか一項に記載の遊技機。
【請求項５】
前記変位阻止部材が、複数の発光素子が実装された基板からなる
ことを特徴とする請求項１〜４のいずれか一項に記載の遊技機。
【発明の詳細な説明】
【技術分野】
【０００１】
本発明は、装飾用の透光性部材が外装に取り付けられる遊技機に関し、特に、透光性部材と透光性部材が取り付けられる被取付部材とで構成された電飾部を備える遊技機に関する。
【背景技術】
【０００２】
一般に、遊技場には、所定の操作により遊技を進行させるスロットマシン、パチンコ機などの遊技機が複数設置されている。
この種の遊技機は、遊技の興趣を高めるために、遊技者に対して視覚的な演出を行う電飾部を外装に備えている。電飾部は、ＬＥＤなどの光源が取り付けられるベース部材と、このベース部材の前面側に配置された透光性部材とで構成されており、遊技の進行などに応じて光源を発光制御することにより、電飾による演出効果が得られるようになっている（例えば、特許文献１、２参照）。
【０００３】
透光性部材は、通常、射出成形された透光性の樹脂部材からなり、ベース部材の前面側に取り付けられているが、その取付構造については、従来から提案されている。
例えば、特許文献１に示されている透光性部材は、背面端部に円形柱状のボス部が複数形成されているとともに、これらボス部の内側に雌ネジが形成されており、また、ベース部材には、ネジの軸部を挿通可能な貫通孔が形成されており、このベース部材の貫通孔を介してネジを透光性部材のボス部の雌ネジに螺入することにより、透光性部材をベース部材に取り付けるようになっている。
また、特許文献２に示される透光性部材は、背面から後方に延出する複数の係止片部を有し、これらの係止片部の先端部に形成された係止爪を、ベース部材に設けられた被係止部に係止することによりベース部材に取り付けるようになっている。
【先行技術文献】
【特許文献】
【０００４】
【特許文献１】特開２００９−２４７８０８号公報
【特許文献２】特開２００８−２３７６９４号公報
【発明の概要】
【発明が解決しようとする課題】
【０００５】
しかしながら、特許文献１に示されている透光性部材においては、背面に形成されているボス部が、その背面の端辺よりも中程に寄った部分に形成されており、しかも、この透光性部材が半透明の合成樹脂を材料として形成されているため、透光性部材を正面から見たときに、ボス部が影となって透けて見えてしまい、装飾部材であるべき透光性部材のデザイン性が低下するという問題があった。特に、光源が発光している状態では、部材正面にボス部の影が映るので、ボス部の存在が明確になってしまう。
【０００６】
一方、特許文献２に示される透光性部材においては、ボス部を形成する必要がないので、ボス部によるデザイン性の低下を回避することが可能であるものの、透光性部材に大きな外力を与えると、係止爪が、係止している方向と反対の方向（脱抜方向）に撓むことで、係止が解除し、透光性部材が外れてしまうおそれがあり、不正行為の対象となる可能性があった。
【０００７】
また、特許文献２では、透光性部材の係止片部が入り込む開口部をベース部材に穿設しており、開口部に入り込んで反対側に突出した係止片部の係止爪が係止部に係止するようになっている。
ここで、開口部の寸法は、係止片部を容易に挿入できるように、係止片部の幅や厚みよりも大きな寸法となっている。また、一般に、開口部の寸法と係止片部の幅や厚みは、樹脂成形時に生じる成形歪や成形誤差等によって異なるような場合もある。
このように係止する部材間の寸法が異なることにより、開口部と係止片部との間で隙間が生じるため、係止した状態の係止爪がその隙間の分だけ移動してしまう。その結果、係止爪が移動してガタつくことにより、透光性部材も定位置からズレてしまい、外装の美観を損ねてしまうおそれがあった。
さらに、デザイン性を出すために、複数の透光性部材を並べて取り付けるような場合では、係止爪が移動してガタつくことで、隣り合う透光性部材間のつなぎ目でズレが生じ、各部材がきれいに並ばず、デザイン性を損ねてしまうおそれがあった。
【０００８】
本発明は、このような問題を解決するためになされたものであり、係止爪が脱抜する方向へ撓むのを規制することにより、透光性部材が外れてしまうのを防いで、電飾部への不正行為やいたずらを防止するとともに、係止爪が脱抜方向と直交する方向へ移動するのを規制して、係止爪のガタ付きを抑制し、かつ、複数の透光性部材を並べて取り付けるような場合に、隣り合う透光性部材間のつなぎ目がきれいに並び、外装の美観の低下を回避する遊技機の提供を目的とする。
【課題を解決するための手段】
【０００９】
上記目的を達成するため、本発明の遊技機は、装飾用の透光性部材が外装に取り付けられる遊技機であって、透光性部材又は透光性部材が取り付けられる被取付部材の一方が、弾性変形可能な鉤状の爪部を有し、他方が、爪部が係止する被係止部を有し、被係止部に係止した状態の爪部に嵌合して爪部の変位を阻止する変位阻止部材を備え、この変位阻止部材のうち爪部に嵌合する部分である爪部嵌合部が、被係止部から脱抜する方向へ爪部が撓むのを規制する撓み規制部と、脱抜する方向に対して直交する方向へ爪部が移動するのを規制する移動規制部と、を備えた構成としてある。
【発明の効果】
【００１０】
このように、本発明によれば、変位阻止部材が、爪部の脱抜方向への撓みを規制するので、透光性部材が外れてしまうのを防ぐことができ、電飾部への不正行為やいたずらを防止できる。
また、変位阻止部材が、脱抜方向と直交する方向への爪部の移動を規制するので、爪部のガタ付きを抑制することができる。これにより、複数の透光性部材を並べて取り付けるような場合に、隣り合う透光性部材間のつなぎ目がきれいに並び、外装の美観の低下を回避することができる。
【図面の簡単な説明】
【００１１】
【図１】本発明の第一実施形態に係るスロットマシンの外観を示す概略斜視図である。
【図２】本発明の第一実施形態に係るスロットマシンから電飾部を取り外した状態を示す概略斜視図である。
【図３】本発明の第一実施形態に係る電飾部の分解斜視図である。
【図４】本発明の第一実施形態に係るレンズベースを裏面側から見た図を示しており、（ａ）は外観図、（ｂ）は（ａ）のＡ部を拡大した要部拡大図である。
【図５】本発明の第一実施形態に係る変位阻止部材を示しており、（ａ）は斜視図、（ｂ）は正面図、（ｃ）は背面図、（ｄ）は左側面図、（ｅ）はＡ−Ａ断面図、（ｆ）はＢ−Ｂ断面図である。
【図６】本発明の第一実施形態に係るレンズベースにレンズを取り付けた状態を示しており、（ａ）は外観図、（ｂ）は（ａ）のＢ部を拡大した要部拡大図である。
【図７】本発明の第一実施形態に係るレンズベースにレンズと変位阻止部材を取り付けた状態を示しており、（ａ）は外観図、（ｂ）は（ａ）のＣ部を拡大した要部拡大図、（ｃ）はＣ−Ｃ断面図である。
【図８】本発明の第二実施形態に係る変位阻止部材を示しており、（ａ）は斜視図、（ｂ）は正面図、（ｃ）は背面図、（ｄ）は左側面図、（ｅ）はＤ−Ｄ断面図である。
【図９】本発明の第二実施形態に係るレンズベースにレンズと変位阻止部材を取り付けた状態を示しており、（ａ）は外観図、（ｂ）は（ａ）の取付位置Ａを拡大した要部拡大図、（ｃ）は（ａ）の取付位置Ｂを拡大した要部拡大図である。
【図１０】本発明の第三実施形態に係る変位阻止部材の外観図である。
【図１１】本発明の第三実施形態に係るレンズベースにレンズと変位阻止部材を取り付けた状態の外観図である。
【発明を実施するための形態】
【００１２】
以下、本発明に係る遊技機の好ましい実施形態について、各図を参照して説明する。
遊技機には、スロットマシン、パチンコ機など様々な種類があるが、本実施形態では、スロットマシンに適用した場合について説明する。
【００１３】
［第一実施形態］
まず、本発明の第一実施形態に係るスロットマシンについて、図１〜図７の各図を参照して説明する。
［スロットマシン本体］
図１は、本実施形態に係るスロットマシン１の外観を示す概略斜視図である。
本実施形態のスロットマシン１は、リール８を回転させることによって遊技媒体であるメダルを獲得できる一般的な回胴式遊技機として構成されている。
【００１４】
スロットマシン１は、内部がマイクロコンピュータ等で構成された制御部（非図示）、制御部からの指令によりＬＥＤ２１１等の光源２１（図３参照）などを制御する演出制御部（非図示）及び必要な機械や装置等を収納する正面側が開口した筐体１ｂと、筐体１ｂの正面側を開閉可能に覆う前扉１ａとで構成されている。
【００１５】
前扉１ａは、スロットマシン１の筐体１ｂにヒンジ等を介して開閉可能に取り付けられる扉体で、この前扉１ａには、遊技操作に係る複数の操作手段や遊技に係る演出手段が設けられている。
操作手段としては、メダルが投入されるメダル投入口３と、装置内部にクレジットとして貯留されたメダルをゲームに賭けるベットボタン４と、各リール８ａ，８ｂ，８ｃの回転を始動させるスタートレバー５と、回転している各リール８ａ〜８ｃを停止させる３つの停止ボタン６ａ，６ｂ，６ｃが設けられている。
また、演出手段としては、光源２１の点灯制御により視覚的な演出を行う電飾部２と、効果音等の出力により聴覚的な演出を行うスピーカ等が設けられている。
【００１６】
なお、図示は省略するが、筐体１ｂの下部には、メダルの貯留・払出しを行うメダル払出装置が設けられる。メダル払出装置には、メダルを貯留するホッパーが設けられ、メダル投入口３より投入されたメダルは、メダルセレクタにより検出されるとともに、ホッパーに誘導されるようになっている。
【００１７】
このように構成されたスロットマシン１では、上記の各操作手段からの信号やメダルセレクタからの信号に基づき、制御部が各装置を制御することで、以下のようなスロットマシン遊技が進行する。
具体的には、メダル投入口３から投入されるメダルの数（例えば、３枚）又は内部的に記憶したクレジットメダルからベットボタン４の操作によって信号形式で投入されるメダルの数（例えば、３枚）に応じて遊技開始可能な状態となり、この状態でスタートレバー５が操作されると、リール８が回転を開始するとともに、各リール８ａ〜８ｃに対応する停止ボタン６ａ〜６ｃが押下操作されると、スタートレバー５の操作タイミングで行なわれる抽選処理の抽選結果に応じた図柄の組み合わせで停止するようにリール８が停止制御され、停止した図柄の組み合わせに基づいて入賞の有無が判定され、判定結果に応じてメダル払出装置によりメダルを貯留するホッパーを介してメダル払出口７からメダルが払い出されるという、スロットマシン遊技を実現可能な構成を備えている。
【００１８】
また、スロットマシン１では、上述したようなスロットマシン遊技において、制御部が遊技状態に応じた所定の制御信号を演出制御部に出力することで、演出制御部が、この制御信号に従い、予め記憶した演出プログラムに基づき、電飾部２に設けられた光源２１などを駆動制御して、所定の演出を行う。
【００１９】
［電飾部］
次に、本実施形態の電飾部２について、各図を参照して説明する。
図２は、本実施形態に係るスロットマシンから電飾部を取り外した状態を示す概略斜視図である。図３は、本実施形態に係る電飾部の分解斜視図である。
これらの図に示すように、電飾部２は、複数のＬＥＤ２１１が配置された光源２１と、複数の透光性部材からなるレンズ２２と、レンズ２２が表面側に取り付けられるレンズベース２３と、レンズベース２３の裏面側に取り付けられ、レンズ２２の外れを防止する変位阻止部材２４ａとを備え、前扉１ａの正面上部に取り付けられる。
【００２０】
このような構成からなる電飾部２は、レンズ２２に形成された係止爪２２１をレンズベース２３の被係止部２３５に係止することで、レンズ２２がレンズベース２３に取り付けられるようになっている。
ところが、被係止部２３５に係止爪２２１が係止しただけの状態では、レンズ２２を介して大きな外力が加わった場合に、係止爪２２１が係止する方向と反対の方向（脱抜方向）に撓むことで、被係止部２３５から係止爪２２１が外れてしまうおそれがある。
また、レンズベース２３に穿設された後述する係止爪用孔２３４の寸法と、係止爪２２１の幅又は厚みの寸法が異なる場合には、係止した状態の係止爪２２１が、異なる寸法分の隙間において、移動し、ガタついてしまうことがある。
そこで、本実施形態の電飾部２は、係止した状態の係止爪２２１に対して変位阻止部材２４ａを取り付けることで、係止爪２２１の変位を阻止するようになっている。具体的には、変位阻止部材２４ａが、係止爪２２１の脱抜方向への撓みと脱抜方向と直交する方向への移動を規制する。
以下、電飾部２を構成する各部材について詳細に説明する。
【００２１】
光源２１は、前面に複数のＬＥＤ２１１が実装されたＬＥＤ基板２１２からなり、レンズベース２３の裏面２３ｂ側に取り付けられる。ＬＥＤ２１１は、レンズベース２３に形成されたＬＥＤ孔２３３に挿通されて、その頭部がレンズベース２３の表面２３ａ側に露出する。これにより、このＬＥＤ２１１から発光された光が、レンズ２２を照射することで電飾による演出を行うようになっている。
ＬＥＤ２１１には、形態による種別（チップ型ＬＥＤ、砲弾型ＬＥＤ）や、発光色による種別（単色発光ＬＥＤ、フルカラーＬＥＤ）があり、電飾部２の演出内容に応じて種別が選択される。また、ＬＥＤ２１１は、照射するレンズ２２（２２ａ〜２２ｄ）の形状に応じた箇所に設置されている。
【００２２】
レンズ２２は、射出成形される透光性（無色又は有色の透明又は半透明）の樹脂部材を複数備えており、光源２１からの発光を受けて所定の色で点灯する。
例えば、半透明で黄色のレンズ２２ａ、半透明で赤色のレンズ２２ｂ、半透明で青色のレンズ２２ｃ、半透明で無色のレンズ２２ｄ等の透光性部材からなり、これらの部材が並んで配置されている。なお、レンズ２２（２２ａ〜２２ｄ）の色、個数は、これらに限定されるものではなく、任意の色で任意の個数（例えば、一又は二以上）だけ設けることができる。
また、レンズ２２（２２ａ〜２２ｄ）は、遊技中の遊技者に面する部材正面部と、この部材正面部から後方に向かって延出する部材側面部からなり、レンズ２２の内方とレンズベース２３の前方との間に導光空間を形成する。
【００２３】
レンズ２２の裏面には、光源２１から発光された光を拡散させるための、断面半円形状の凸部が複数設けられている。
このような凸部を設けることで、光源から発光された光が、凸部の境界面で屈折し、同心円状に拡散される。これにより、レンズ２２の正面側に生じる明るさのムラを解消することができる。
また、別部品として導光板や、明るさのムラが抑えられた高価な光源を用いることなく、安価に実現することができる。
【００２４】
レンズ２２の部材側面部の端辺には、後方に向かって突出形成された係止爪２２１が複数設けられている。
係止爪２２１は、弾性変形可能な鉤状に形成された爪部であり、この鉤状の部分（鉤部）の上面は、曲面又は斜面に面取りされている。
この係止爪２２１を、レンズベース２３の係止爪用孔２３４に押し込むように挿入すると、係止爪２２１の鉤部の上面が係止爪用孔２３４の内周縁に当接し、弾性変形して係止爪用孔２３４の内方へ進入する。そして、鉤部が係止爪用孔２３４を抜け出ると、弾性変形する前の形状に復元し、係止爪２２１の鉤部が被係止部２３５に引っ掛かるように係止する。
なお、以下の説明では、係止爪２２１の外周面のうち、係止爪２２１が被係止部２３５と係止する側の面を正面２２１ａ、その反対側の面を背面２２１ｂ、残りの面を側面２２１ｃとして説明する。
【００２５】
［レンズベース］
次に、本実施形態のレンズベース２３について、図４を参照して説明する。
図４は、レンズベースを裏面側から見た図を示しており、（ａ）は外観図、（ｂ）は（ａ）のＡ部を拡大した要部拡大図である。
レンズベース２３は、射出成形される非透光性の樹脂部材からなり、本発明における被取付部材の一例であって、表面２３ａ側にはレンズ２２が取り付けられ、裏面２３ｂ側には、変位阻止部材２４ａと、さらに後方から光源２１が取り付けられる。
【００２６】
レンズベース２３には、レンズ２２を取り付ける際に係止爪２２１を係止するための構成として、係止爪用孔２３４、被係止部２３５が形成されている。
係止爪用孔２３４は、各レンズ２２ａ〜２２ｄの取付位置に対応して枠部２３１の下方に設けられた貫通孔であり、各レンズ２２ａ〜２２ｄをレンズベース２３に取り付ける際に係止爪２２１が挿入される。
被係止部２３５は、枠部２３１の複数箇所に設けられ、係止爪用孔２３４に挿入された係止爪２２１が係止する。
【００２７】
レンズベース２３には、遮光壁２３２、ＬＥＤ孔２３３が形成されている。
遮光壁２３２は、レンズベース２３の表面２３ａから前方に向けて延出されており、レンズベース２３の前方の空間（導光空間）をレンズ２２ａ〜２２ｄごとに仕切り、かつ、各レンズ２２ａ〜２２ｄに入射された光源２１からの光が他の導光空間へ伝播するのを防止する。これにより、例えば、光源２１が発光する異なる色の光を干渉させることなく、対応するレンズ２２ａ〜２２ｄの内面に導くことができる。
ＬＥＤ孔２３３は、ＬＥＤ２１１を、レンズ２２の内面側に向けて露出させるための貫通孔であり、ＬＥＤ基板２１２のＬＥＤ２１１の実装位置に対応する箇所に複数設けられている。
また、レンズベース２３には、変位阻止部材２４ａを取り付けるための構成として、ガイド部２３６、ボス２３７が形成されている。なお、これらの構成については後述する。
【００２８】
［変位阻止部材］
次に、本実施形態の変位阻止部材２４ａについて、図５を参照して説明する。
図５は、本実施形態の変位阻止部材を示しており、（ａ）は斜視図、（ｂ）は正面図、（ｃ）は背面図、（ｄ）は左側面図、（ｅ）はＡ−Ａ断面図、（ｆ）はＢ−Ｂ断面図である。
変位阻止部材２４ａは、レンズベース２３の裏面２３ｂに取り付けられ、被係止部２３５に係止した状態の係止爪２２１の変位を阻止する部材である。
具体的には、変位阻止部材２４ａは、係止爪２２１の背面２２１ｂ及び側面２２１ｃに対して嵌合する係止爪嵌合部２４１と、レンズベース２３のガイド部２３６に対して嵌合するガイド部嵌合溝２４２と、ネジ２５を挿入可能なボス用ネジ穴２４３と、ボス用ネジ穴２４３から挿入されたネジ２５をネジ孔２３７ａに螺入するネジ挿通孔２４４と、を備えている。
【００２９】
係止爪嵌合部２４１は、変位阻止部材２４ａの側面においてコの字形状に凹設されており、係止爪押圧面２４１ａと係止爪係合面２４１ｂを備えている。
係止爪押圧面２４１ａは、当該変位阻止部材２４ａをレンズベース２３の裏面２３ｂに取り付けたときに、係止爪２２１の背面２２１ｂに接触又は近接して、被係止部２３５から脱抜する方向へ係止爪２２１が撓むのを規制する。
係止爪係合面２４１ｂは、当該変位阻止部材２４ａをレンズベース２３の裏面２３ｂに取り付けたときに、係止爪２２１の側面２２１ｃに接触又は近接して、脱抜方向と直交する方向へ係止爪２２１が移動するのを規制する。
このように、係止爪嵌合部２４１は、本発明における爪部嵌合部の一例であって、脱抜方向への係止爪２２１の撓みを規制する撓み規制部として機能するとともに、脱抜方向に対して直交する方向への係止爪２２１の移動を規制する移動規制部として機能する。
【００３０】
ガイド部嵌合溝２４２は、変位阻止部材２４ａの背面に形成された溝状部分である。
このガイド部嵌合溝２４２は、本発明における爪部嵌合部の一例であって、当該変位阻止部材２４ａをレンズベース２３の裏面２３ｂに取り付ける際に、レンズベース２３のガイド部２３６に嵌合する。ガイド部２３６は、レンズベース２３の裏面２３ｂにおいて、係止爪用孔２３４の近傍に形成され、裏面２３ｂから直交外方に形成された凸状部分である。
このため、ガイド部嵌合溝２４２をガイド部２３６に嵌合するようにしながら、変位阻止部材２４ａをレンズベース２３の裏面２３ｂに取り付けると、その変位阻止部材２４ａの係止爪嵌合部２４１が被係止部２３５に係止した状態の係止爪２２１に嵌合した状態で取り付けられる。
つまり、ガイド部２３６は、被係止部２３５に係止した状態の係止爪２２１に対して背面側から嵌合する位置に、変位阻止部材２４ａを位置させる位置決め部として機能する。
【００３１】
なお、ガイド部嵌合溝２４２は、ガイド部２３６と嵌合可能な位置、形状であれば、変位阻止部材２４ａの任意の位置に任意の形状で設けることができる。例えば、本実施形態では、図５に示すように、背面に溝状に形成しているが、背面と正面の双方に、又は、背面から正面に向かって貫くように形成してもよい。このような形状とした場合には、変位阻止部材２４ａの正面又は背面の双方から係止爪２２１に対して取り付け可能な表裏一体型とすることができる、
【００３２】
ボス用ネジ穴２４３は、変位阻止部材２４ａの正面の中央部分に形成された凹状部分であって、ネジ２５の頭部が収まるようになっている。
このボス用ネジ穴２４３の底部には、締結部材であるネジ２５を挿通するためのネジ挿通孔２４４が穿設されている。
このネジ挿通孔２４４は、変位阻止部材２４ａをレンズベース２３の裏面２３ｂに取り付けたときに、このレンズベース２３のボス２３７に形成されたネジ孔２３７ａの開口側と正対する。ボス２３７は、レンズベース２３の裏面２３ｂにおいて、係止爪用孔２３４の近傍に形成された凸状部分である。ネジ孔２３７ａは、レンズベース２３の裏面２３ｂにおいて、ボス２３７に対応する位置でボス２３７の内部に向かって穿設されている。
このような構造により、ガイド部嵌合溝２４２をガイド部２３６に嵌合するようにしながら、変位阻止部材２４ａをレンズベース２３の裏面２３ｂに取り付けると、ネジ挿通孔２４４がネジ孔２３７ａの開口側と正対し、ボス用ネジ穴２４３側からネジ２５を挿入すると、挿入したネジ２５の頭部がボス用ネジ穴２４３の底部で係止し、ネジ２５の軸部がネジ挿通孔２４４を通過して、ネジ孔２３７ａに螺入するようになっている（図７（ｃ）参照）。
【００３３】
また、変位阻止部材２４ａをレンズベース２３の裏面２３ｂに取り付けた状態においては、変位阻止部材２４ａのガイド部嵌合溝２４２がレンズベース２３のガイド部２３６に嵌合するとともに、ネジ２５が変位阻止部材２４ａのネジ挿通孔２４４を通過してネジ孔２３７ａに螺入されており、これによって、変位阻止部材２４ａが固定されている。ところが、ネジ孔２３７ａに成形歪や成形誤差があると、ネジ２５による変位阻止部材２４ａの固定が不十分となり、このネジ２５の螺入方向を中心として変位阻止部材２４ａが周方向に移動（回転）することが考えられる。
ただし、この変位阻止部材２４ａにおいては、ガイド部嵌合溝２４２がレンズベース２３のガイド部２３６に嵌合している。そして、変位阻止部材２４ａが回転しようとすると、ガイド部嵌合溝２４２の側面にガイド部２３６が当接するため、変位阻止部材２４ａが、ネジ２５の螺入方向を中心として周方向に移動するのが規制されるようになっている。
【００３４】
なお、図４に示すように、本実施形態におけるガイド部２３６は、離間した位置に、柱状で二つ形成してあるが、これに限るものではなく、変位阻止部材２４ａを位置決め可能であって、変位阻止部材２４ａの周方向の移動を規制可能であれば、任意の位置に任意の形状で設けることができる。例えば、棒状、コの字形状、Ｌ字形状等とすることができる。
【００３５】
このように、変位阻止部材２４ａは、係止爪嵌合部２４１が、係止した状態の係止爪２２１の背面２２１ｂ及び側面２２１ｃと嵌合することで、係止爪２２１が脱抜方向へ撓むのを規制し、かつ、脱抜方向と直交する方向へ係止爪２２１が移動するのを規制する。
また、ガイド部嵌合溝２４２が、ガイド部２３６と嵌合することで、係止爪２２１に対する変位阻止部材２４ａの取り付け位置を位置決めする。
すなわち、変位阻止部材２４ａは、係止した状態の係止爪２２１を背面側から固定し、係止爪２２１の変位を阻止することができる。
さらには、ガイド部嵌合溝２４２が、ガイド部２３６と嵌合することで、変位阻止部材２４ａの周方向への移動を規制するため、より確実に係止爪２２１を固定することができる。
【００３６】
［電飾部の取付方法］
次に、以上のような構成からなる本実施形態の電飾部２の取付方法について、図６及び図７を参照して説明する。
図６は、レンズベースにレンズを取り付けた状態を示しており、（ａ）は外観図、（ｂ）は（ａ）のＢ部を拡大した要部拡大図である。
図７は、レンズベースにレンズと変位阻止部材を取り付けた状態を示しており、（ａ）は外観図、（ｂ）は（ａ）のＣ部を拡大した要部拡大図、（ｃ）はＣ−Ｃ断面図である。
【００３７】
まず、各レンズ２２ａ〜２２ｄをレンズベース２３に取り付ける。
具体的には、レンズベース２３の表面２３ａ側から、各レンズ２２ａ〜２２ｄの係止爪２２１を係止爪用孔２３４に押し込むように挿入すると、係止爪２２１の鉤部の上面が、係止爪用孔２３４の内周縁に当接し、弾性変形することで、係止爪２２１が係止爪用孔２３４の内方へ進入する。そして、鉤部が係止爪用孔２３４を抜け出ると、弾力が除かれて弾性変形する前の形状に復元し、係止爪２２１の鉤部が被係止部２３５に引っ掛かるように係止する。これにより、図６に示すように、各レンズ２２ａ〜２２ｄがレンズベース２３に取り付けられる。
また、このように係止爪２２１を介してレンズ２２をレンズベース２３に取り付けた場合では、従来のようにボスを介して取り付けた場合と比較して、遊技中の遊技者からボスの形状が透けて見えることがないため、デザイン性の低下を回避することができる。
【００３８】
次いで、図６に示す状態において、レンズベース２３の裏面２３ｂ側から、各係止爪２２１に対して変位阻止部材２４ａを取り付ける。
具体的には、レンズベース２３のガイド部２３６に変位阻止部材２４ａのガイド部嵌合溝２４２を上方から被せるように嵌め込むことで、変位阻止部材２４ａがレンズベース２３の裏面２３ｂ上に配置される。このとき、係止爪押圧面２４１ａが係止爪２２１の背面２２１ｂに接触又は近接し、かつ、係止爪係合面２４１ｂが係止爪２２１の側面２２１ｃに接触又は近接する。
このように、ガイド部２３６に変位阻止部材２４ａのガイド部嵌合溝２４２を嵌め込むことで、変位阻止部材２４ａが係止爪２２１の背面側と嵌合する位置に配置される。
これにより、変位阻止部材２４ａは、係止爪２２１を定位置で確実に固定することができ、係止爪２２１の変位を阻止することができる。
【００３９】
また、ガイド部２３６を用いずに、例えばネジ止めのみで変位阻止部材２４ａをレンズベース２３の裏面２３ｂに取り付けたような場合と比較すると、ネジ孔に成形歪や成形誤差があることで変位阻止部材２４ａが回転してしまう。そこで、ガイド部２３６を用いることで、係止爪２２１がガタついてしまうのを回避することができる。
さらに、レンズベース２３のガイド部２３６に変位阻止部材２４ａのガイド部嵌合溝２４２を嵌め込むだけの作業によって、係止爪２２１に対する変位阻止部材２４ａの取り付けを、容易かつ迅速に行うことができ、作業性を向上させることができる。
【００４０】
次いで、ガイド部２３６に対して変位阻止部材２４ａのガイド部嵌合溝２４２を嵌め込んだ状態では、ネジ挿通孔２４４がボス２３７のネジ孔２３７ａの開口側と正対する。そして、ボス用ネジ穴２４３からネジ２５を挿入する。挿入したネジ２５は、ネジ孔２３７ａに螺入して、変位阻止部材２４ａをレンズベース２３の裏面２３ｂに螺着固定する。これにより、図７に示すように、係止爪２２１に対して変位阻止部材２４ａが取り付けられる。
さらに、図７に示す状態において、レンズベース２３の裏面２３ｂ側に、光源２１を取り付ける。これにより、電飾部２が完成する。
【００４１】
以上説明したように、本実施形態のスロットマシン１によれば、変位阻止部材２４ａが、係止爪２２１の脱抜方向への撓みを規制するので、電飾部２のレンズ２２に大きな外力が加わった場合でも、レンズ２２が外れてしまうのを防ぐことができ、電飾部２への不正行為やいたずらを防止できる。
また、係止爪用孔２３４の寸法と係止爪２２１の幅又は厚みの寸法が異なる場合に、これら部材間で隙間が生じる場合でも、変位阻止部材２４ａが、係止した状態の係止爪２２１の脱抜方向と直交する方向への係止爪２２１の移動を規制し、ガタ付きを防ぐので、隣り合うレンズ２２ａ〜２２ｄ間のつなぎ目がきれいに並び、外観の美観の低下を回避することができる。
さらに、レンズベース２３のガイド部２３６と変位阻止部材２４ａのガイド部嵌合溝２４２が嵌合することで、係止爪２２１に対する変位阻止部材２４ａの取付位置を位置決めするとともに、変位阻止部材２４ａの周方向への移動を規制する。これによって、係止爪２２１に対する変位阻止部材２４ａの固定を、より確実にすることができる。
【００４２】
［第二実施形態］
次に、本発明の第二実施形態に係るスロットマシンの電飾部について、図８及び図９の各図を参照して説明する。
図８は、本実施形態の変位阻止部材を示しており、（ａ）は斜視図、（ｂ）は正面図、（ｃ）は背面図、（ｄ）は左側面図、（ｅ）はＤ−Ｄ断面図である。
図９は、レンズベースにレンズと変位阻止部材を取り付けた状態を示しており、（ａ）は外観図、（ｂ）は（ａ）の取付位置Ａを拡大した要部拡大図、（ｃ）は（ａ）の取付位置Ｂを拡大した要部拡大図である。
【００４３】
本実施形態の変位阻止部材２４ｂは、上述した第一実施形態の変位阻止部材２４ａと比較すると、変位阻止部材２４ａは、外形が直方体形状であり、係止爪嵌合部２４１を１つ備えた構造としたが、変位阻止部材２４ｂは、変位阻止部材２４ｂを取り付け可能な位置の周囲の形状に合わせた形状とし、係止爪嵌合部２４１を複数備えた構造としてある点で相違する。なお、本実施形態の他の構成は、変位阻止部材２４ａとほぼ同様としてある。
したがって、各図において、第一実施形態と同様の構成部分については同一の符号を付して、その詳細な説明を省略する。
【００４４】
本実施形態では、レンズベース２３において、変位阻止部材２４ｂを取り付け可能な取付位置が複数あり、これら複数の取付位置ごとに周囲の形状が異なるように形成されている。
例えば、図９に示すように、２つの取付位置をＡ、Ｂとしたとき、取付位置Ａと取付位置Ｂにおける周囲の形状が、裏面２３ｂ上に設けられる凸状部分（ＬＥＤ孔２３３など）の配置によって異なっている。
このように周囲の形状が異なっている場合、第一実施形態の変位阻止部材２４ａを当該取付位置に取り付けようとしても、凸状部分が邪魔になり取り付けることができない。また、一の取付位置に取り付け可能な形状とした場合でも、他の取付位置に取り付けることができない場合もある。
そこで、本実施形態では、取付位置ごとの周囲の形状に対応した変位阻止部材２４ｂを適用することによって、その取付位置に取り付けできるようになっている。
【００４５】
具体的には、本実施形態の変位阻止部材２４ｂは、図８に示すように、取付位置Ａの周囲の形状に対応して形成された変位阻止部材２４ｂ−１と、取付位置Ｂの周囲の形状に対応して形成された変位阻止部材２４ｂ−２と、から形成されている。
変位阻止部材２４ｂ−１には、取付位置Ａの係止爪２２１と嵌合可能な係止爪嵌合部２４１−１が形成されており、変位阻止部材２４ｂ−２には、取付位置Ｂの係止爪２２１と嵌合可能な係止爪嵌合部２４１−２が形成されている。
これらの二つの係止爪嵌合部２４１−１、２４１−２は、例えば、変位阻止部材２４ｂの長手方向に離間した位置（例えば、変位阻止部材２４ｂの反対側の側面）に形成されている。
変位阻止部材２４ｂのガイド部嵌合溝２４２、ボス用ネジ穴２４３、ネジ挿通孔２４４は、取付位置（取付位置Ａ，取付位置Ｂ）に対応した形状、位置に形成されている。
このような構造によって、変位阻止部材２４ｂの係止爪２２１に対する取り付け向きを変えることで、周囲の形状が異なる取付位置に対して係止爪嵌合部２４１を嵌合させて、変位阻止部材２４ｂを取り付けることができる。
【００４６】
なお、本実施形態では、変位阻止部材２４ｂが係止爪嵌合部２４１を、二つ（２４１−１、２４１−２）備えているが、二つに限るものではなく、任意の数だけ（例えば、三つ以上）設けることができる。また、変位阻止部材２４ｂの反対側の側面に限らず、任意の位置に設けることができる。
また、ガイド部嵌合溝２４２、ボス用ネジ穴２４３、ネジ挿通孔２４４は、図８に示す位置、形状に限らず、任意の位置に任意の形状とすることができ、例えば、ボス用ネジ穴２４３やネジ挿通孔２４４を長孔状の一個の孔としてもよい。
【００４７】
以上説明したように、第二実施形態のスロットマシン１によれば、変位阻止部材２４ｂは、第一実施形態の変位阻止部材２４ａとほぼ同様の効果を奏するとともに、変位阻止部材２４ｂの取付位置の周囲の形状が異なる場合に、それぞれの取付位置ごとに変位阻止部材を用意する必要がなく、一の変位阻止部材２４ｂで複数の取付位置に適用することができるため、部品点数を削減することができ、製造原価のコストダウンを図ることができる。
【００４８】
［第三実施形態］
次に、本発明の第三実施形態に係るスロットマシンの電飾部について、図１０及び図１１の各図を参照して説明する。
図１０は、本実施形態の変位阻止部材の外観図である。
図１１は、レンズベースにレンズと変位阻止部材を取り付けた状態の外観図である。
【００４９】
図１０において、本実施形態の変位阻止部材２４ｃは、上述した実施形態の変位阻止部材２４ａ、２４ｂと比較すると、ＬＥＤ基板からなる点で相違する。すなわち、本実施形態では、第一実施形態及び第二実施形態で示した光源２１を構成するＬＥＤ基板２１２の一部によって変位阻止部材２４ｃを構成したものである。なお、本実施形態の他の構成は、変位阻止部材２４ａ、２４ｂとほぼ同様としてある。
したがって、各図において、上記の実施形態と同様の構成部分については同一の符号を付して、その詳細な説明を省略する。
【００５０】
図１０に示すように、本実施形態における変位阻止部材２４ｃは、ＬＥＤ基板２１２ａからなり、光源２１ａの機能も備えている。具体的には、変位阻止部材２４ｃであるＬＥＤ基板２１２ａの外周には、係止爪２２１が係止する位置に対応して、係止爪嵌合部２４１が凹設形成されている。
このような構造により、係止爪２２１がレンズベース２３の被係止部２３５に係止した状態で、レンズベース２３の裏面２３ｂ側から変位阻止部材２４ｃを取り付けることによって、変位阻止部材２４ｃが、係止した状態の係止爪２２１が脱抜方向へ撓むのを規制し、かつ、脱抜方向と直交する方向へ係止爪２２１が移動するのを規制する（図１１参照）。
【００５１】
また、変位阻止部材２４ｃに、ガイド部２３６と嵌合可能な溝又は孔を設けてもよい。これによって、変位阻止部材２４ｃがガイド部２３６と嵌合するため、上記の実施形態と同様の効果を得ることができる。
また、変位阻止部材２４ｃは、複数のＬＥＤ基板２１２ａからなるようにしてもよい。この場合、各変位阻止部材２４ｃ（ＬＥＤ基板２１２ａ）が、複数の係止爪２２１のうち一部（例えば、二以上）の係止爪２２１に対して取り付け可能な形状となる。
さらに、当該変位阻止部材２４ｃの係止爪２２１に対する取り付け向きを変えることで、一の変位阻止部材２４ｃで異なる取付位置に対する係止爪２２１に対して係止爪嵌合部２４１を嵌合可能な形状としてもよい。これによって、第二実施形態と同様の効果を得ることができる。
【００５２】
以上説明したように、第三実施形態のスロットマシン１によれば、変位阻止部材２４ｃは、上記の実施形態の変位阻止部材２４ａ、２４ｂとほぼ同様の効果を奏するとともに、光源と一体に設けられているため、構造が単純化し、製造原価のコストダウンを図ることができる。
また、変位阻止部材２４ｃを取り付けた際に、複数の係止爪２２１に対して一度に固定するので、変位阻止部材をそれぞれの係止爪２２１に対して取り付ける必要がなく、作業性を簡素化することができる。
【００５３】
以上、本発明の遊技機の好ましい実施形態について説明したが、本発明に係る遊技機は上述した実施形態にのみ限定されるものではなく、本発明の範囲で種々の変更実施が可能であることはいうまでもない。
上述した実施形態では、電飾部２は、前扉１ｂの上部に取り付けられる上パネルの場合で説明したが、これに限らず、例えば、前扉１ｂの下部に取り付けられる下パネル等に適用することができる。また、電飾部２は、上パネルや下パネルのように、スロットマシン１の正面に取り付けられる部材に限らず、スロットマシン１の側面に取り付けられるような部材にも適用することもできる。
また、図３等においては、変位阻止部材２４は、レンズベース２３の上部に四箇所と下部の四箇所の位置に取り付けるようにしているが、これに限るものではなく、係止爪２２１が係止している位置であれば、任意の箇所に任意の数だけ設けることができる。
また、上述した実施形態では、変位阻止部材２４をレンズベース２３に固定する際に、ボス２３７に対するネジ２５の螺入によって螺着固定するようにしたが、これに限らず、例えば、嵌め込み、係止爪による係止等、任意好適な方法を用いることができる。
また、上述した実施形態では、変位阻止部材２４をレンズベース２３に取り付けるように説明したが、レンズ２２に取り付けてもよい。この場合、ガイド部２３１、係止爪用孔２３４、被係止部２３５等は、レンズ２２に設けることが好ましい。
【産業上の利用可能性】
【００５４】
本発明は、外装に取り付けられる所定の透光性部材を備えるスロットマシン、パチンコ機などの遊技機に好適に利用することができる。
【符号の説明】
【００５５】
１        スロットマシン
２        電飾部
２２（２２ａ、２２ｂ、２２ｃ、２２ｄ）  レンズ（透光性部材）
２２１    係止爪（爪部）
２３      レンズベース（被取付部材）
２３４    係止爪用孔
２３５    被係止部
２３６    ガイド部（位置決め部）
２３７    ボス
２４（２４ａ、２４ｂ、２４ｃ）  変位阻止部材
２４１    係止爪嵌合部（爪部嵌合部）
２４１ａ  係止爪押圧面（撓み規制部）
２４１ｂ  係止爪係合面（移動規制部）
２４２    ガイド部嵌合溝（位置決め部嵌合溝）
２４３    ボス用ネジ穴
２４４    ネジ挿通孔（被締結部）
２５      ネジ（締結部材）
【図１】
2014200385.tif 000003
【図２】
2014200385.tif 000004
【図３】
2014200385.tif 000005
【図４】
2014200385.tif 000006
【図５】
2014200385.tif 000007
【図６】
2014200385.tif 000008
【図７】
2014200385.tif 000009
【図８】
2014200385.tif 000010
【図９】
2014200385.tif 000011
【図１０】
2014200385.tif 000012
【図１１】
2014200385.tif 000013